(57)【要約】      （修正有）【課題】パジャマや室内着などを着用したままで手軽に低温サウナ効果を体験することができる岩盤浴用装置を提供する。【解決手段】利用者が仰臥する下部分１２と、下部分の上方に位置し、蓋となる上部分１４と、下部分内に配置される本体２２とを備え、本体が、本体容器と、本体容器内に配置されるパネルと、パネル上に取り付けられるヒータとを含み、本体容器内に、黒鉛珪石、角閃石、石英斑岩、ゼオライト、花崗斑岩、トルマリン、ホルンフェルス、石英片岩、及び石墨千枚岩によって構成される鉱物群のうち１又は２以上の鉱物の粉末が混入されたモルタルが充填されている岩盤浴用装置。【選択図】図４
0003107667.tif 000002
【実用新案登録請求の範囲】
【請求項１】
岩盤浴用装置であって、
利用者が仰臥する下部分と、
前記下部分の上方に位置し、蓋となる上部分と、
前記下部分内に配置される本体と、
を備え、前記本体が、本体容器と、本体容器内に配置されるパネルと、パネル上に取り付けられるヒータとを含み、前記本体容器内に、黒鉛珪石、角閃石、石英斑岩、ゼオライト、花崗斑岩、トルマリン、ホルンフェルス、石英片岩、及び石墨千枚岩によって構成される鉱物群のうち１又は２以上の鉱物の粉末が混入されたモルタルが充填されている、
ことを特徴とする装置。
【請求項２】
オーディオ装置、酸素供給装置、及びマイナスイオン発生器のうち１以上の装置を更に備えていることを特徴とする請求項１に記載の岩盤浴用装置。
【考案の詳細な説明】
【技術分野】
【０００１】
本考案は、着衣のままで手軽に低温サウナ効果を体験することができる岩盤浴用装置に関する。
【背景技術】
【０００２】
入浴には、心身をリラックスさせる効能があるとともに、発汗作用を促し、体内の老廃物を体外に排出させる効能もある。また、サウナにも、入浴と同等、或いはそれ以上の効能がある。入浴やサウナには、上述のような効能があるものの、着衣のままで利用することはできず、入浴したりサウナを利用したりするには、脱衣しなければならない。本考案者は、このような状況に鑑みて、パジャマや室内着などを着用したままで手軽に低温サウナ効果を体験することができる岩盤浴用装置を開発した（特許文献１参照）。
【０００３】
【特許文献１】登録実用新案第３１０４７８７号公報
【考案の開示】
【考案が解決しようとする課題】
【０００４】
特許文献１に記載した岩盤浴用装置は、幸いにも好評を博したが、本考案者は、この装置を改良して、より効果が大きく、かつ、使い勝手のよい岩盤浴用装置を開発した。したがって、本考案は、手軽な低温サウナ効果の体験を可能にした、効果が大きく、使い勝手のよい岩盤浴用装置を提供することを目的としている。
【課題を解決するための手段】
【０００５】
本願請求項１に記載の岩盤浴用装置は、利用者が仰臥する下部分と、前記下部分の上方に位置し、蓋となる上部分と、前記下部分内に配置される本体とを備え、前記本体が、本体容器と、本体容器内に配置されるパネルと、パネル上に取り付けられるヒータとを含み、前記本体容器内に、黒鉛珪石、角閃石、石英斑岩、ゼオライト、花崗斑岩、トルマリン、ホルンフェルス、石英片岩、及び石墨千枚岩によって構成される鉱物群のうち１又は２以上の鉱物の粉末が混入されたモルタルが充填されていることを特徴とするものである。
【０００６】
本願請求項２に記載の岩盤浴用装置は、前記請求項１の装置において、オーディオ装置、酸素供給装置、及びマイナスイオン発生器のうち１以上の装置を更に備えていることを特徴とするものである。
【考案の効果】
【０００７】
本考案によれば、着衣のままで手軽に低温サウナ効果を体験することができる岩盤浴用装置が提供される。また、本考案の岩盤浴用装置では、赤外線を放射する鉱物含有モルタルを下部分から取り外すことができるので、装置の輸送や保管が容易である。さらに、本体容器を大きくすることにより、赤外線を放射する鉱物粉を多量に具備させることができ、これにより従来装置より低温サウナ効果を高めることができる。
【考案を実施するための最良の形態】
【０００８】
次に添付図面を参照して、本考案の好ましい実施の形態に係る岩盤浴用装置について詳細に説明する。図１は、本考案の好ましい実施の形態に係る岩盤浴用装置を示した正面図、図２は、本考案の好ましい実施の形態に係る岩盤浴用装置を示した平面図である。図１および図２において全体として参照符号１０で示される本考案の好ましい実施の形態に係る岩盤浴用装置は、利用者が仰臥する下部分１２を備えている。下部分１２は、上方が開放した箱型形状を有しており、底板と、長辺方向の対向した一対の側板と、短辺方向の対向した一対の側板とを有し、長辺方向の側板と短辺方向の側板との境界部は、美観上の観点から、丸みを帯びた形状に形作られている。
【０００９】
下部分１２を構成する底板、長辺方向の側板、及び短辺方向の側板は好ましくは、ガラス繊維強化プラスチック（以下「ＦＲＰ」という）で形成されている。
【００１０】
岩盤浴用装置１０は又、下部分１２の上に位置し、蓋を構成する上部分１４を備えている（図１において二点鎖線は、上部分１４を開けた状態を示している）。上部分１４は、下方が開放した箱型形状を有しており、頂板と、長辺方向の対向した一対の側板と、短辺方向の対向した一対の側板とを有し、長辺方向の側板と短辺方向の側板との境界部は、美観上の観点から、丸みを帯びた形状に形作られている。下部分１２と上部分１４は、上部分１４を閉鎖したとき、下部分１２と上部分１４とによって略密閉した空間が形成されるように、略同じ平面的な大きさを有するように形作られている。
【００１１】
なお、上部分１４を構成する底板、長辺方向の側板、及び短辺方向の側板は好ましくは、下部分１２と同様に、ＦＲＰで形成されている。
【００１２】
好ましくは、上部分１４には、利用者が下部分１２に仰臥したとき顔が位置する個所に、窓１６が設けられている。窓１６は、岩盤浴用装置１０の内部から外部を見ることができるように、透明材料（例えば、アクリル樹脂）で形成されている。また、窓１６には、複数の呼吸用の開口１６ａが設けられている。
【００１３】
上部分１４は、蝶番１８によって、下部分１２に対して開閉可能に取り付けられている。図４において、参照符号２０は、上部分１４と下部分１２を連結するためのアームを示しており、アーム２０には、上部分１４を所望の開度にしてその状態を維持することができるようにロック（図示せず）が設けられている。ロックは、通常用いられているものでよい。
【００１４】
岩盤浴用装置１０は更に、下部分１２内に配置される本体２２を備えている。図３は、本体２２を示した断面図である。本体２２は、本体容器２２ａと、本体容器２２ａ内に配置されるパネル２２ｂと、パネル２２ｂ上に取り付けられるヒータ２２ｃとを含み、本体容器２２ａ内には、鉱物含有モルタル２２ｄが充填されている。ここで、鉱物含有モルタル２２ｄとは、黒鉛珪石（ブラックシリカ）、角閃石、石英斑岩、ゼオライト、花崗斑岩、トルマリン、ホルンフェルス、石英片岩、及び石墨千枚岩によって構成される鉱物群のうち１又は２以上の鉱物の粉末が混入されたモルタルのことである。なお、図示されているヒータ２２ｃは、発熱線形態のものであるが、ヒータ２２ｃとして、面状発熱体を用いてもよい。
【００１５】
なお、岩盤浴用装置１０を所望の個所に移動させ易いように、下部分１２の底部にキャスタ２４を取り付けるのが好ましい。
【００１６】
次に、以上のように構成された岩盤浴用装置１０の使用について説明する。まず、上部分１４を所望の開度にした後、岩盤浴用装置１０の中に入って、下部分１２内に配置した本体２２の上に仰臥し、上部分１４を閉鎖する。電源をＯＮにして本体２２のヒータ２２ｃを４５°Ｃ〜６０°Ｃに加熱する。すると、本体容器２２ａに充填された鉱物含有モルタル２２ｄから、遠赤外線が放射され、これにより、皮脂腺やアポクリン腺からの発汗が促され、中性脂肪やコレステロールの他、体内の老廃物や有害化学物質が体外に搬出される。また、身体がマイナスイオンに曝されることにより、体内の新陳代謝が一層促進される。
【００１７】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００１８】
例えば、前記実施の形態では、岩盤浴用装置１０が全体として箱型形状に形作られているが、岩盤浴用装置１０を他の任意の形状に形作ってもよい。また、前記実施の形態では、本体２２にのみ、赤外線を放射する鉱物が含有されているが、例えば、上部分１４を構成するＦＲＰ内にも鉱物を含有させてもよい。
【００１９】
また、岩盤浴用装置１０内に、１又は複数のオーディオ装置（図示せず）を取り付け、岩盤浴をしながら、音楽を聞けるようにしてもよい。さらに、岩盤浴用装置１０内に、酸素供給装置やマイナスイオン発生器（いずれも図示せず）を設置し、リラクゼーションを一層促進させるようにしてもよい。
【図面の簡単な説明】
【００２０】
【図１】本考案の好ましい実施の形態に係る岩盤浴用装置を示した正面図である。
【図２】本考案の好ましい実施の形態に係る岩盤浴用装置を示した平面図である。
【図３】図１の岩盤浴用装置に配置される本体を示した断面図である。
【図４】上部分が開いている状態を示した図１の岩盤浴用装置の断面図である。
【符号の説明】
【００２１】
１０  岩盤浴用装置
１２  下部分
１４  上部分
１６  窓
１８  蝶番
２０  アーム
２２  本体
２４  キャスタ
【図１】
0003107667.tif 000003
【図２】
0003107667.tif 000004
【図３】
0003107667.tif 000005
【図４】
0003107667.tif 000006